【事件の表示】
　昭和６２年特許願第２１０３９８号「データエントリー装置」拒絶査定に対する審判事件［昭和６３年　６月　４日出願公開、特開昭６３−１３２３２３］について、次のとおり審決する。
【結　論】
　本件審判の請求は、成り立たない。
【理　由】
１　手続きの経緯及び本件発明
　本件出願は、西暦１９８６年８月２７日にアメリカ合衆国にした特許出願に基づいてパリ条約第４条の規定による優先権を主張した昭和６２年８月２６日の特許出願であって、その発明は、平成８年７月２３日付け及び平成９年１０月１６日付け手続補正書により補正された明細書及び図面の記載からみて、その特許請求の範囲に記載された事項により構成されるものであるところ、その第１番目の発明（以下、「本件発明１」という）は、特許請求の範囲の（１）に記載されたとおりの次の事項により構成されるものである。
「個々に作動可能であり圧力に応答する複数のデータ発生素子と、
　上記複数のデータ発生素子を覆う電気的にプログラム可能な表示器であって、該表示器上の圧力に応答して上記複数のデータ発生素子の少なくとも１つを付勢するに十分なたわみ性を有し、該表示器のいずれの位置にも上記複数のデータ発生素子に関連する可変な可視標識を提供する上記表示器と、を備えたことを特徴とする装置」
　
２　引用発明
（１）一方、当審において合議の結果平成１１年７月６日付けで通知した拒絶理由に引用した特開昭５７−１７８２２０号公報（昭和５７年１１月２日特許庁発行。以下、「引用刊行物」という）には、表示部とスイッチ部とを一体化した液晶表示装置に関する発明が記載されており、これに関して、次の各事項が図面と共に記載されている。
　　ａ「従来品においては１つのスイッチを回路の切替えにより別のスイッチとして機能させようとする場合、スイッチの機能の表示が例えば印刷によって複数表示されることとなり、使用者がどの表示の機能でスイッチを操作しているのかの判別が困難となり、実際的ではなく、従って１つのスイッチに複数の機能を付与することは難しいという欠点があった。」（１頁右下欄８行ないし１５行）
　　ｂ「第１図は光反射型ツイストネマチック方式の液晶表示装置に本発明を応用した本発明第１実施例で、（１）（２）は液晶表示パネルの上下基板で、ポリエチレンテレフタレートフイルム、ポリプチレンテレフタレートフイルム、ポリカーボネートフイルム、ポリエーテルスルフォンフイルム等の可撓性に富むポリマーフイルムが用いられ、これらの表面には酸化インジウム、酸化スズ等の透明導電膜が形成され公知の方法で配向処理されている。上下基板（１）（２）間には液晶（９）をシール剤（４）で封入すると共に上基板（１）の電極をゼブラコンタクト（５）により駆動回路の基板（６）と接続し、駆動回路の信号に基づいて種々の文字、記号又は図形を表示する様になされ、それらが表示する位置は任意に選定される。そして上基板（１）の上側及び下基板（２）の下側にはそれぞれ上下偏光板（７）（８）が配置され、更に下偏光板の下側には反射板（９）が配置されている。そして反射板（９）下側には導電膜（１０）が複数箇所施されてスイッチ板を兼ねており、反射板兼スイッチ板（９）はスペーサー（１１）を介して駆動回路の基板（６）と隔てられ、導電膜（１２）は基板（６）上の左右一対の対向電極である導電膜（１０）と向き合い、左右の電極（１２）に前記導電膜（１０）が接触することによって短絡するようになされている。そして前記液晶表示パネルの基板、スイッチ板、スペーサ、及び駆動回路の基板等はそれぞれ重ね合わされて適宜接着剤等で固定される。」（２頁左上欄１４行ないし右上欄末行）
　　ｃ「従って第２図に示す様に指（１３）等で、上下基板（１）（２）上下偏光板（７）（８）等よりなる液晶表示パネルＡの一部分を押圧すると、液晶表示パネルＡと反射板兼スイッチ板（９）とが撓んで導電膜（１０）と左右の電極（１２）とが短絡し、また指（１３）を離すと液晶表示パネルＡと反射板兼スイッチ板の撓んだ箇所が復帰し、導電膜（１０）が対向電極（１２）を離れるという様にスイッチ操作を行なうことができる。」（２頁左下欄１行ないし８行）
　　ｄ「以上の様に本発明は可撓性ポリマーフイルムの上下基板間に液晶を封入して文字、記号又は図形を表示する液晶表示パネルと、駆動回路の基板との間に他の基板と兼用したスイッチ板を配置してなり、液晶表示パネルを押圧することによりスイッチ板上の導電膜を駆動回路の基板上に設けられた対向電極に接触させてスイッチ操作を行なう様にした液晶表示装置であり、これによって表示部とスイッチ部とが一体化され、装置を極めてコンパクトにすることができ、その場合でも、表示部及びスイッチの機能の表示を表面のスペースいっぱいに配置することができ、表示内容を大きくしかも表現を豊かにできる効果がある。
　また、表示部はそのままスイッチ部となるのでスイッチの数を多くすることができ、１つのスイッチに複数の機能を与えても、その機能毎に切替えて表示することにより操作が極めて簡単となる効果がある。」（３頁左上欄１９行ないし右上欄１６行）
（２）以上ａないしｄの記載事項を本件発明１の構成に準じて整理すれば、引用刊行物には、次の事項により構成される発明（以下、「引用発明」という）が記載されているということができる。
　個々に動作可能であり（指等による）押圧に応答する複数の（スイッチ板（９）及び導電膜（１０，１２）よりなる）スイッチと、
　上記複数のスイッチの上側に（該複数のスイッチを覆うように）設けられた（下記駆動回路からの電気）信号により表示内容が可変な（上下基板（１，２）及び上下偏光板（７，８）等よりなる）液晶表示パネルＡであって、該液晶表示パネルＡ上の一部分に対する（指等による）押圧に応答して上記複数のスイッチの少なくとも１つを短絡させるに足る撓み性を有し、該液晶表示パネルＡの任意の位置に上記複数のスイッチに関連する可変な種々の文字、記号又は図形を提供する上記液晶表示パネルＡと、（上記可変な種々の文字、記号又は図形を提供するために上記液晶表示パネルＡに信号を与える駆動回路と、）を備えた装置
　
３　本件発明１と引用発明との対比・判断
（１）そこで、前記１に認定の本件発明１と前記２（２）に認定の引用発明とを対比すると、
　ア　押圧により圧力が生じることは明らかであり、引用発明の「（スイッチ板（９）及び導電膜（１０，１２）よりなる）スイッチ」が前記押圧に応答してデータを発生するものであることも明らかであり、
　イ　また、電気信号により表示内容が可変なこと及びスイッチを短絡することは、それぞれ、電気的にプログラム可能なこと及びスイッチを付勢することと同義であり、任意の位置に表示するようにすることによりいずれの位置にも表示することが可能であることは明らかであり、表示された種々の文字、記号又は図形は、可視標識と総称され得るものであり、液晶表示パネルが表示器の１典型例であることも明らかである。
（なお、データ発生素子に関連する可変な可視標識を２つ以上のボックス又はキーの間の領域や、ボックス又はキーを規定する線上の領域に表示することについては、更に、本件出願前に頒布された特開昭５２−１１５６４２、同５５−２０５２８、同５７−１０６９４１及び同５９−２０８６４１各号公報も参照されたい）
（２）以上のとおりであるから、本件発明１は、本件出願前に引用発明に基づいて当業者が容易に発明をすることができたものであると言う外はない。
　
４　結び
　したがって、本件発明１は、特許法第２９条第２項の規定により特許を受けることができないものであるから、本件出願に係るその余の発明について言及するまでもなく、本件出願は、拒絶されるべきものである。
　よって、結論のとおり審決する。